(57)【要約】【課題】書籍データ推薦の方法の提供。【解決手段】本発明によると、第１装置により第１書籍データが第１集合に属すると定義し、並びに第１装置に接続された第１サーバーにより第１書籍データが第１集合に属することを記録し、第１装置の使用者が、書籍データを特定集合に属すると定義する行為により、書籍データ間の関連性を記録して後続の判断の基礎となし、その後、第１サーバーに接続された第２装置が、第２書籍データが第２集合に属すると定義するとき、第１サーバーは、第２書籍データを第１書籍データと対比し、第２書籍データが第１書籍データに一致するとき、第１サーバーは第１集合中のその他の第１書籍データを第２装置に伝送し、アクティブに第２装置の使用者に関係書籍データを推薦する機能を達成する。【選択図】図１Ａ
2015109085.tif 000002
【特許請求の範囲】
【請求項１】
書籍データ推薦の方法において、そのステップは、
第１サーバーと接続された第１装置が少なくとも一つの第１書籍データが少なくとも一つの第１集合に属すると定義し、
該第１サーバーが該第１書籍データが該第１集合に属することを記録し、
該第１サーバーと接続された第２装置が少なくとも一つの第２書籍データが少なくとも一つの第２集合に属すると定義し、
該第１サーバーが該第２書籍データを該第１書籍データと対比し、
該第２書籍データが該第１書籍データに一致するとき、該第１サーバーは該第１集合のその他の第１書籍データを該第２装置に伝送することを含む、
書籍データ推薦の方法。
【請求項２】
請求項１記載の書籍データ推薦の方法において、該第１サーバーが該第１書籍データが該第１集合に属することを記録した後、該第１サーバーと接続された第２装置が少なくとも一つの第２書籍データが少なくとも一つの第２集合に属すると定義する前に、さらに、  該第１装置が該第１集合に属する該第１書籍データをソートし、
該第１サーバーが該第１書籍データのソート結果を記録するステップを含むことを特徴とする、書籍データ推薦の方法。
【請求項３】
請求項２記載の書籍データ推薦の方法において、該第１サーバーは、該第１書籍データのソート結果に基づき、該第１集合のその他の第１書籍データを該第２装置に伝送することを特徴とする、書籍データ推薦の方法。
【請求項４】
請求項２記載の書籍データ推薦の方法において、該第１サーバーは、該第１書籍データのソート結果に基づき、該第１書籍データのソートスコアを計算し、並びに該ソートスコアに基づき、該第１集合のその他の第１書籍データを該第２装置に伝送することを特徴とする、書籍データ推薦の方法。
【請求項５】
請求項１記載の書籍データ推薦の方法において、該第１サーバーが該第１書籍データが該第１集合に属することを記録した後に、該第１サーバーに接続された該第２装置が該第２書籍データが該第２集合に属すると定義する前に、さらに、
該第１装置が該第１集合に属する該第１書籍データに対して面白さスコアを与えるステップ、
該第１サーバーは該第１書籍データのスコア結果を記録するステップ、
を含むことを特徴とする、書籍データ推薦の方法。
【請求項６】
請求項５記載の書籍データ推薦の方法において、該第１サーバーは該面白さスコアに基づき、該第１集合のその他の第１書籍データを該第２装置に伝送することを特徴とする、書籍データ推薦の方法。
【請求項７】
請求項１記載の書籍データ推薦の方法において、該第１サーバーに接続された該第２装置が該第２書籍データが該第２集合に属することを記録した後に、該第１サーバーが第２書籍データを該第１書籍データと対比する前に、さらに、
第２サーバーが該第２書籍データが該第２集合に属することを記録するステップ、
を含むことを特徴とする、書籍データ推薦の方法。
【発明の詳細な説明】
【技術分野】
【０００１】
本発明は一種の書籍データ推薦の方法に係り、特に一種の、各使用者が納入する集合中の書籍データを記録し、書籍データ間の関連性を判断し、並びにそのうち一人の使用者がある書籍データを対比するとき、関連性或いはそのほかの重み付け、及び面白さスコアにより、アクティブに集合中のその他の書籍データを推薦する方法に関する。
【背景技術】
【０００２】
文明の進歩に伴い、人類の客観世界に対する認識は不断に深まり、その過程中に累積する知識も不断に増加し、指数レベルの成長を示し、知識基数が不断に拡大し、知識の倍増の時間はますます短縮され、学者によると、西暦一世紀の知識基数を１とすると、１７５０年までにその倍となり、１７５０年から１９００年までの１５０年間に、さらにその倍となり、１９５０年から１９６０年のわずか１０年で、その倍となり、１９７０年から１９８０年代まででは、その倍となるのに僅かに７年しかかからなかった。２１世紀の前の３０年間に新たに発生した知識は二千年間の累積の総和を超越する。このような知識の爆発的生長は、通常「知識の爆発」と記述される。
【０００３】
「知識の爆発」という言葉は、１９６０年代の米国のDonald J.Hartの”The Explosion of Knowledge”という書物に由来し、書名中の”Explosion ”は「膨張」或いは「爆発」と翻訳され、いずれも知識の総量と増長速度がすでに制御しにくくなっている現象を表す。知識の爆発に伴い発生する、一般的な副作用は、現代人が常に有している「情報焦燥」である。「情報焦燥」（原文は”Infomation Anxiety"）という書物の作者Richard Saul Wurman  によると、情報焦燥の源は、人々の「自分は本当に分かっている」ことと「自分は分かるべきである」こととの間で、ますます広がるギャップであり、情報と知識の間のブラックホールのようなものであり、人々が情報中より得たい或いは必要な知識をえられないとき、焦燥感が必然的に発生するのである。
【０００４】
情報焦燥の現象を軽減するには、先にふるい分けした有用な情報をさらにピックアップすると、全ての情報をできるだけ吸収するのに較べて非常に効率的である（後者は、このような知識の爆発の時代にあっても実際的ではない）。使用者が情報をふるい分けするのを助ける一種の有効な方式は、推薦メカニズムを利用することであり、使用者が比較的必要とするであろう情報を使用者に提供することで、使用者が自分でサーチ収集する時間を節約し、書籍データに関しては、有効な書籍データ推薦ツールは、使用者がスピーディーに実用的閲読リストを構築するのを助けることができる。書籍データ推薦ツールに常用されている方法は、システム開発者が手動（或いは半自動）で書籍データを分類し、並びに手動或いはキーワード演算等の方式で構築した書籍データ間の関連性を利用し、使用者が、ある書籍データに対して興味関心を示すとき（たとえば、目録データの閲覧、内容の試し読み、その他の読者の評論を閲読、或いは、書籍データをウィッシュリストに入れる或いはショッピングカートに入れる動作）、書籍データ推薦ツールは、関係する書籍データを使用者の参考のためにアクティブに提供する。
【０００５】
しかし、周知の書籍データ推薦ツールは、システム開発者自身による書籍に対する分類に相当に依存するため、システム開発者の負担が非常に大きくなるか、或いはシステム開発者自身の判断と使用者の判断の間に相当に大きな開きがある問題を形成し得る。
【発明の概要】
【発明が解決しようとする課題】
【０００６】
本発明の主要な目的は、一種の書籍データ推薦の方法を提供することにあり、それは、使用者による定義操作に照らして、サーバー中で複数の書籍データを特定集合に属するものとして記録し、その他の使用者の定義操作が、ある書籍データの対比をトリガするとき、該ある書籍データと一致する書籍データを判断し、並びにアクティブに書籍データが属する集合中の他の書籍データを使用者に推薦する。
【０００７】
本発明の次の目的は、一種の書籍データ推薦の方法を提供することにあり、それは、使用者が関連性を有すると判断した複数の書籍データを特定集合に納入する機能を提供し、使用者はこれにより関係する書籍データを整理でき、後続の書籍データサーチを行なうことができる。
【課題を解決するための手段】
【０００８】
上述の目的と作用効果を達成するため、本発明は一種の書籍データ推薦の方法を提示し、それは、第１サーバーに接続された第１装置と第２装置を利用し、本方法の主要なステップは、該第１装置が、少なくとも一つの第１書籍データを、少なくとも一つの第１集合に属するものと定義するステップ、該第１サーバーが、該第１書籍データが該第１集合に属することを記録するステップ、該第２装置が、少なくとも一つの第２書籍データを、少なくとも一つの第２集合に属するものと定義するステップ、該第１サーバーが該第２書籍データを該第１書籍データと対比するステップ、及び、該第２書籍データが該第１書籍データに一致するとき、該第１サーバーが該第１集合のその他の第１書籍データを該第２装置に伝送するステップ、以上を含む。
【発明の効果】
【０００９】
周知の書籍データ推薦ツールが、システム開発者自身による書籍に対する分類に相当に依存するため、システム開発者の負担が非常に大きくなるか、或いはシステム開発者自身の判断と使用者の判断の間に相当に大きな開きがある問題を形成し得るということを鑑み、本発明は一種の新規な書籍データ推薦の方法を提供し、書籍データの分類がシステム開発者の思惟に依存しなければならない問題をスキップし、使用者自身の判断行為で書籍データを推薦ツール中に納入し、使用者が自由に書籍データの関連性集合を構築し、並びに自身で関係する書籍データを置き入れた集合中の書籍データ管理ツールを判断し、同時にシステムがバックグラウンド中に、各使用者が構築した関係性集合中の書籍データを記録並びに対比し、それにより重複した記録を関係する書籍データとして探し出し、使用者の判断を基礎とする書籍データ関連性モデルを構築し、この書籍データ関連性モデルは後続のその他の関連性集合の構築と書籍データの置き入れにより動態で修正を行なえ、その関係性書籍データ推薦の正確度を確保できるようにする。
【図面の簡単な説明】
【００１０】
【図１Ａ】本発明の好ましい実施例の構成要素関係図である。
【図１Ｂ】本発明の好ましい実施例のステップフローチャートである。
【図２Ａ】本発明の別の好ましい実施例の構成要素関係図である。
【図２Ｂ】本発明の別の好ましい実施例のステップフローチャートである。
【図３Ａ】本発明のまた別の好ましい実施例の構成要素関係図である。
【図３Ｂ】本発明のまた別の好ましい実施例のステップフローチャートである。
【発明を実施するための形態】
【００１１】
以下に本発明の技術内容、構造特徴、達成する目的及び作用効果について、以下に例を挙げ並びに図面を組み合わせて詳細に説明する。
【００１２】
本発明は一種の書籍データ推薦の方法であり、その特色は、本発明はサーバーにより使用者の定義操作に照らして、ある複数の書籍データが特定集合に属することを記録し、その他の使用者の定義操作がある書籍データとの対比をトリガするとき、ある書籍データが記録された書籍データに一致するかを判断し、一致した書籍データが所属する集合中のその他の書籍データを、対比をトリガした使用者に推薦し、ある複数の書籍データが特定の集合に属すると定義する動作により、使用者の書籍データ関連性に対する判断に反応し、周知の書籍データ推薦の方法に較べ、本発明は使用者の判断に近接する書籍データを得られ、このほか、使用者が自主的にある複数の書籍データが特定集合に属すると定義できる機能を提供することで、本発明はまた使用者が書籍データリストを構築するためのツールとされ得る。
【００１３】
図１Ａと図１Ｂを共に参照されたい。それは本発明の第１実施例の構成要素関係表示図及びステップフローチャートである。図１Ａに示されるように、本発明の書籍データ推薦の方法は、少なくとも、第１装置１、第２装置２及び第１サーバー３を含む。該第１装置１と該第２装置２はそれぞれ該第１サーバー３に接続されている。該第１サーバー３内には第１集合３０と第２集合３２が記録され、複数の第１書籍データ３００、３０２、３０４は該第１集合３０に属し、第２書籍データ３２０は該第２集合３２に属する。これらの第１書籍データ３００、３０２、３０４或いは該第２書籍データ３２０は、書籍名称、作者名称、出版社名称、書籍目録、書籍前書き、書籍のコピー、電子化された本文の一部或いは全部を含み得る。
【００１４】
図１Ｂに示されるように、本発明の書籍データ推薦の方法は少なくとも以下のステップを含む。
【００１５】
ステップＳ１０：第１装置は第１書籍データが第１集合に属すると定義する。
【００１６】
ステップＳ２０：第１サーバーは第１書籍データが第１集合に属することを記録する。
【００１７】
ステップＳ３０：第２装置は第２書籍データが第２集合に属すると定義する。
【００１８】
ステップＳ４０：第１サーバーは第２書籍データを第１書籍データと対比する。
【００１９】
ステップＳ５０：第２書籍データが第１書籍データに一致するとき、第１サーバーは第１集合のその他の第１書籍データを第２装置に伝送する。
【００２０】
本実施例中、これら第１書籍データ３００、３０２、３０４と該第２書籍データ３２０は該第１サーバー３に保存され、該第１装置１或いは第２装置２は該第１サーバー３よりこれら第１書籍データ３００、３０２、３０４或いは該第２書籍データ３２０を閲覧できる。ステップＳ１０中、該第１装置１の使用者は、これら第１書籍データ３００、３０２、３０４が同一テーマに合致するかを判断して、該第１サーバー３において該第１集合３０を構築し、並びにこれら第１書籍データ３００、３０２、３０４が該第１集合３０に属することを定義する。ステップＳ２０において、該第１サーバー３は該第１装置１の定義行為に基づき、これら第１書籍データ３００、３０２、３０４が該第１集合３０に属することを記録する。
【００２１】
ステップＳ１０とステップＳ２０の実施を通し、該第１装置１の使用者は追跡加入或いはショッピングカート加入に類似の操作を実行でき、その興味を有する各第１書籍データをマーキングし、並びにさらに、各第１書籍データをその分類判断により各第１集合中に入れ、該第１装置１の使用者にとっては、本発明は、その各書籍データリストを構築するための工具とされ得る。
【００２２】
ステップＳ３０において、該第２装置２の使用者は、該第１サーバー３において該第２集合３２を構築し、並びに該第２書籍データ３２０が該第２集合３２に属すると定義する。ステップＳ４０中、該第１サーバー３は、第２装置２の定義行為に基づき、該第２書籍データ３２０を該第１サーバー３が記録した各集合の各書籍データ、たとえばこれら第１書籍データ３００、３０２、３０４と対比する。ステップＳ５０中、該第１サーバー３が該第２書籍データ３２０が該第１書籍データ３００に一致すると判断したとき、すなわち、該第１書籍データ３００が所属する該第１集合３０中のその他のこれら第１書籍データ３０２、３０４を該第２装置２に伝送する。
【００２３】
ステップＳ３０、ステップＳ４０及びステップＳ５０の実施を通して、該第１サーバー３は、該第２装置２の使用者が該第２書籍データ３２０をその分類により第２集合３２に入れると判断するとき、先の各使用者により定義操作されて構築された各第１集合中の各第１書籍データ中より、対比により該第２書籍データ３２０に一致する該第１書籍データ３００を見つけ出し、並びに該第１書籍データ３００が属する該第１集合３０内のその他の第１書籍データを該第２装置２の使用者に推薦する。もし、複数の第１集合が該第２書籍データ３２０に一致する該第１書籍データ３００を有しているなら、該第１サーバー３は各第１集合中のその他の第１書籍データの重複する回数を対比し、重複回数がより高いということは、より多くの使用者がそれが該第１書籍データ３００（すなわち、該第２書籍データ３２０）と関係すると判断したことを代表し、これにより、該第１サーバー３は優先的に該第１書籍データ３００を含む各第１集合中の重複回数が比較的高いその他の第１書籍データを提供し、該第２装置２の使用者の要求にマッチした、該第１書籍データ３００と関係するその他の第１書籍データを提供できる。該第２装置２の使用者にとっては、本発明は該第１書籍データ３００と関係するその他の第１書籍データ（たとえば、その他の第１書籍データ３０２、３０４）を推薦する機能を有し、その該第１書籍データ３００と関係するその他の書籍データの検索を節約でき、並びにこれらの書籍データを該第２集合３２（リーディングリスト或いはショッピングリスト等）に加える。
【００２４】
上述の構成要件の設置とステップＳ１０からステップＳ５０の実施により、本発明の書籍データ推薦の方法は、該第１サーバー３により各書籍データにアクセスし並びに各集合の状況を記録するのに応用され得て、使用者が書籍データを分類整理するツールとされ得て、また、使用者が書籍データを分類整理する判断行為により各書籍データの相関性を得て、その他の使用者が書籍データを自分で定義した集合に加えるとき、先の使用者が関係する判断した書籍データを主動的に推薦する機能を達成する。
【００２５】
図２Ａと図２Ｂを参照されたい。それは本発明の第２実施例の構成要件関係表示図及びステップフローチャートである。図２Ａに示されるように、本実施例中に記載されている書籍データ推薦の方法は、第１装置１、第２装置２及び第１サーバー３のほかに、さらに第２サーバー４を含み、そのうち、該第２サーバー４内には複数の第１書籍データ３００、３０２、３０４と一つの第２書籍データ３２０が保存されている。該第１装置１と該第２装置２はそれぞれ該第１サーバー３に接続され、並びに該第１サーバー３を通して間接的に該第２サーバー４に接続されている。該第１サーバー３内には第１集合３０と第２集合３２が記録され、複数の第１書籍データ３００、３０２、３０４は該第１集合３０に属し、該第２書籍データ３２０は該第２集合３２に属する。前述したように、これら第１書籍データ３００、３０２、３０４或いは該第２書籍データ３２０は、書籍名称、作者名称、出版社名称、書籍目録、書籍前書き、書籍のコピー、電子化された本文の一部或いは全部を含み得る。
【００２６】
図２Ｂに示されるように、本実施例はステップＳ２０の後、ステップＳ３０の前に、さらに以下のステップを含む。
【００２７】
ステップＳ２２：第１装置が第１集合に属する第１書籍データをソート処理する。
【００２８】
ステップＳ２４：第１サーバーが第１書籍データのソート処理の結果或いは評価を記録する。
【００２９】
ステップＳ２２中、該第１装置１の使用者は、該第１装置１が、ステップＳ２０中で該第１集合３０に属すると定義されたこれら第１書籍データ３００、３０２、３０４のソート処理を行うことで、これら第１書籍データ３００、３０２、３０４を、該第１書籍データ３００、第１書籍データ３０２、第１書籍データ３０４の順に配列させる。ステップＳ２４中、該第１サーバー３は、これら第１書籍データ３００、３０２、３０４のソート結果を記録するか、ソート結果をスコア列に変換し、たとえば、最も下の第１書籍データ（第１書籍データ３０４）に最低のスコア１を与え、ソート結果が下から二番目の第１書籍データ（第１書籍データ３０２）にスコア２を与え、後はこのように類推されるようにする。
【００３０】
並びに、本実施例はさらに、ステップＳ２２とステップＳ２４を含み、本実施例中、第1実施例のステップＳ５０は以下のステップを含む。
【００３１】
ステップＳ５２：第２書籍データが第１書籍データに一致するとき、第１サーバーは第１集合のその他の第１書籍データを、ソート結果或いはソートスコアによって第２装置に伝送する。
【００３２】
ステップＳ５２中、該第１サーバー３が、該第２書籍データ３２０が該第１書籍データ３００に一致すると判断すると、該第１書籍データ３００が所属する該第１集合３０中のその他のこれら第１書籍データ３０２、３０４を、ステップＳ２２中で発生し、並びにステップＳ２４で記録されたこれら第１書籍データ３００、３０２、３０４のソート結果或いはこれらのソートスコアにより、これら第１書籍データ３０２、３０４を、該第１書籍データ３０２を優先とし、該第１書籍データ３０４を次とする順序で該第２装置２に伝送し、並びに順番に該第２装置２の使用者に推薦する。
【００３３】
ステップＳ２２、ステップＳ２４及びステップＳ５２を実施することにより、該第１サーバー３は、該第２装置２の使用者が該第２書籍データ３２０を、その分類判断により第２集合３２に入れるとき、先の使用者が定義操作して構築した各第１集合中の各第１書籍データ中より、対比により該第２書籍データ３２０と一致する該第１書籍データ３００を見つけ出し、並びに該第１書籍データ３００が所属する該第１集合３０内のその他の第１書籍データを、該第１装置１の使用者のソート結果によって、該第２装置２の使用者に推薦する。もし、複数の第１集合が該第２書籍データ３２０と一致する該第１書籍データ３００を含んでいるなら、該第１サーバー３は各第１集合中のその他の第１書籍データの重複する回数を対比するか、或いは各集合中のその他の第１書籍データのソートスコア、或いはその他の第１書籍データの重複の回数を以て各集合中のその他の第１書籍データのソートスコアを重み付け計算し、並びに計算結果により順にその他の第１書籍データを、該第２装置２の使用者に推薦する。
【００３４】
このほか、本実施例は、ステップＳ３０の後からステップＳ４０の前に、さらに以下のステップを含む。
【００３５】
ステップＳ３２：第２サーバーが、該第２書籍データが第２集合に属することを記録する。
【００３６】
ステップＳ３２中、該第１サーバー３は該第２装置２がステップＳ３０中で実行した定義行為に基づいて、該第２書籍データ３２０が該第２集合３２に属することを記録する。
【００３７】
ステップＳ３０とステップＳ３２の実施により、該第２装置２の使用者は、ステップＳ１０とステップＳ２０中の、該第１装置１の使用者が行ったことと類似のことを実行でき、その興味関心を抱く各第２書籍データをマークし、並びにさらに各第２書籍データをその分類判断に基づき各第２集合中に入れ、本発明を、該第２装置２の使用者が各書籍データリストを構築するためのツールとなし得る。
【００３８】
上述の構成要件の設置とステップＳ１０からステップＳ５２の実施により、本発明の書籍データ推薦の方法は、該第１サーバー３が該第１装置１と該第２装置２の該第２サーバー４との接続の中継ぎをする状況に応用され、使用者に書籍データリストを管理するためのツールを提供し、また、使用者が書籍データを整理するときに、関係性判断とソートの行為により、各書籍データの関係性と使用者ソートを得ることができ、その他の使用者がそのうち一つの書籍データを利用するときに、主動的に使用者の好みに応じて先の使用者によって関係すると判断された書籍データを推薦する機能を達成する。
【００３９】
図３Ａと図３Ｂを参照されたい。それは、本発明の第３実施例の構成要件関係表示図及びステップフローチャートである。図３Ａに示されるように、本実施例中に記載されている書籍データ推薦の方法は、第１装置１、第２装置２及び第１サーバー３のほか、さらに第２サーバー４を含み、そのうち、該第２サーバー４内には複数の第１書籍データ３００、３０２、３０４と一つの第２書籍データ３２０が保存されている。該第１装置１と該第２装置２はそれぞれ独立して該第１サーバー３と該第２サーバー４に接続されている。該第１サーバー３内には第１集合３０と第２集合３２が記録されており、複数の第１書籍データ３００、３０２、３０４は該第１集合３０に属し、一つの第２書籍データ３２０は該第２集合３２に属する。前述したとおり、これら第１書籍データ３００、３０２、３０４或いは該第２書籍データ３２０は、書籍名称、作者名称、出版社名称、書籍目録、書籍前書き、書籍のコピー、電子化された本文の一部或いは全部を含み得る。
【００４０】
図３Ｂに示されるように、本実施例はステップＳ２０の後からステップＳ３０の前に、さらに以下のステップを含む。
【００４１】
ステップＳ２６：第１装置１が第１集合に属する第１書籍データに対して、面白さスコアを与える。
【００４２】
ステップＳ２８：該第１サーバーが該第１書籍データのスコア結果を記録する。
【００４３】
ステップＳ２６中、該第１装置１の使用者は、該第１装置１を通して、ステップＳ２０中で該第１集合３０に属すると定義されたこれら第１書籍データ３００、３０２、３０４にそれぞれ面白さスコアを与え、たとえば、該第１書籍データ３００には１０ポイントを、該第１書籍データ３０２には８ポイントを、該第１書籍データ３０４には５ポイントを与える。ステップＳ２８中、該第１サーバー３はこれら第１書籍データ３００、３０２、３０４の面白さスコア結果を記録する。
【００４４】
並びに、本実施例はさらにステップＳ２６とステップＳ２８を含むことにより、本実施例中、第１実施例のステップＳ５０は以下のステップに改められる。
【００４５】
ステップＳ５４：第２書籍データが第１書籍データに一致するとき、第１サーバーは第１集合のその他の第１書籍データを、面白さスコアに従い第２装置に伝送する。
【００４６】
ステップＳ５４中、該第１サーバー３が該第２書籍データ３２０が該第１書籍データ３００に一致すると判断すると、該第１書籍データ３００が所属する該第１集合３０中のその他のこれら第１書籍データ３０２、３０４は、ステップＳ２６中で発生し並びにステップＳ２８で記録されたこれら第１書籍データ３００、３０２、３０４の面白さスコアに従い、これら第１書籍データ３０２、３０４を、該第１書籍データ３０２を優先とし（面白さスコアが８ポイント）、該第１書籍データ３０４をその次とする（面白さスコアが５ポイント）の順序で、該第２装置２に伝送し、並びに該第２装置２の使用者に推薦する。
【００４７】
ステップＳ２６、ステップＳ２８及びステップＳ５４を実施することにより、該第１サーバー３は該第２装置２の使用者が、該第２書籍データ３２０を、その分類判断に従い第２集合３２に入れとき、先の使用者が定義操作して構築した各第１集合中の各第１書籍データ中で、対比により該第２書籍データ３２０と一致する該第１書籍データ３００を見つけ出し、並びに該第１書籍データ３００が所属する該第１集合３０内のその他の第１書籍データを、該第１装置１の使用者の面白さスコアの結果に基づき、該第２装置２の使用者に推薦する。もし、複数の第１集合が該第２書籍データ３２０と一致する該第１書籍データ３００を含むならば、該第１サーバー３は各第１集合中のその他の第１書籍データの重複の回数を対比するか、或いは各集合中のその他の第１書籍データの面白さスコアを計算するか、或いはその他の第１書籍データの重複する回数を以て各集合中のその他の第１書籍データの面白さスコアを重み付け計算し、並びに計算結果の順序に従い、その他の第１書籍データを該第２装置２の使用者に推薦する。
【００４８】
上述の構成要件の設置とステップＳ１０からステップＳ５４の実施により、本発明の書籍データ推薦の方法は、該第１装置１と該第２装置２がそれぞれ独立して該第１サーバー３と該第２サーバー４に接続された状況に応用可能であり、使用者に書籍データリスト管理のツールを提供し、同時に、使用者が書籍データを整理するときの、相関性判断とソートの行為により、各書籍データの相関性と使用者ソートを得て、その他の使用者がそのうち一つの書籍データを利用するときに、主動的に使用者の好みに基づき先の使用者が関係すると判断した書籍データを推薦する機能を達成する。
【００４９】
総合すると、本発明の書籍データ推薦の方法は、使用者が書籍データを特定集合に納入し、並びにソート処理或いはスコア付けする行為により、書籍間の相関性と使用者の好みの程度を得て、並びに主動的に関係集合が含む書籍を使用者に推薦し、これにより使用者が情報をサーチするのに必要な時間を節約する目的を達成する。
【００５０】
以上は本発明の好ましい実施例の説明に過ぎず、並びに本発明を限定するものではなく、本発明に提示の精神より逸脱せずに完成されるその他の同等の効果の修飾或いは置換は、いずれも本発明の権利請求範囲内に属する。
【００５１】
本発明は新規性、進歩性及び産業上の利用価値を有するものであり、特許の要件を満たすことに疑いはない。
【符号の説明】
【００５２】
１  第１装置
２  第２装置
３  第１サーバー
３０  第１集合
３００  第１書籍データ
３０２  第１書籍データ
３０４  第１書籍データ
３２  第２集合
３２０  第２書籍データ
４  第２サーバー
【図１Ａ】
2015109085.tif 000003
【図１Ｂ】
2015109085.tif 000004
【図２Ａ】
2015109085.tif 000005
【図２Ｂ】
2015109085.tif 000006
【図３Ａ】
2015109085.tif 000007
【図３Ｂ】
2015109085.tif 000008